(57)【要約】【課題】  メインビームとサブビームの光量比ばらつきを補償し、設計値に従った再生性能を得ることが出来る光ディスク装置を提供する。【解決手段】  レーザ光を発光する光源と、前記光源を駆動する光源駆動部と、前記レーザ光を複数の光束に分割する光学素子と、前記光学素子を制御する光学素子制御部と、前記レーザ光を前記光ディスクに集光する手段と、前記光ディスクに反射した前記レーザ光を検出する検出部とを備え、前記光学素子の光束分割の機能の有効と無効とを切り替えて前記光ディスクの再生を行い、レーザの出射パワーの調整を行う光ディスク装置とする。【選択図】  図１（ａ）
2011044209.tif 000002
【特許請求の範囲】
【請求項１】
光ディスクから情報を再生する光ディスク装置であって、
レーザ光を発光する光源と、
前記光源を駆動する光源駆動部と、
前記レーザ光を複数の光束に分割する光学素子と、
前記光学素子を制御する光学素子制御部と、
前記レーザ光を前記光ディスクに集光する手段と、
前記光ディスクに反射した前記レーザ光を検出する検出部と
を備え、
前記光学素子の光束分割の機能の有効と無効とを切り替えて前記光ディスクの再生を行い、
レーザの出射パワーの調整を行うことを特徴とする光ディスク装置。
【請求項２】
請求項１に記載の光ディスク装置であって、
光ディスク装置の温度を測定する温度センサを備え、
光ディスク装置の温度の変化量が所定以上になった場合に、
前記光学素子の光束分割の機能の有効と無効とを切り替えて前記光ディスクの再生を行い、
レーザの出射パワーの調整を行うことを特徴とする光ディスク装置。
【請求項３】
レーザ光を複数の光束に分割する光学素子を用いて
光ディスクの再生を行う光ディスク再生方法にであって、
前記光学素子の光束分割の機能の有効と無効とを切り替えて前記光ディスクの再生を行い、
レーザの出射パワーの調整を行うことを特徴とする光ディスク再生方法。
【請求項４】
請求項３に記載の光ディスク再生方法であって、
光ディスク装置の温度の変化量が所定以上になった場合に、
前記光学素子の光束分割の機能の有効と無効とを切り替えて前記光ディスクの再生を行い、
レーザの出射パワーの調整を行うことを特徴とする光ディスク再生方法。
【請求項５】
光ディスクにレーザ光を照射して情報を再生する光ディスク装置であって、
前記レーザ光を発光する光源と、
前記光源を駆動する光源駆動部と、
前記レーザ光の光束を、１ビームと、メインビーム及び２つのサブビームの３ビームのいずれかに切り替えるビーム切替部と、
前記ビーム切替手段を制御する制御部と、
前記レーザ光を前記光ディスクに集光する集光部と、
前記光ディスクに反射した前記レーザ光を検出する検出部と
を備え、
前記ビーム切替部により前記１ビームに切り替えて前記光ディスクの再生を行い、
前記ビーム切替部により前記３ビームに切り替えて前記光ディスクの再生を行い、
前記１ビームでの再生による再生信号振幅と、前記３ビームでの再生による再生信号振幅の結果に基づいて再生レーザの出射パワーの調整を行うことを特徴とする光ディスク装置。
【請求項６】
光ディスクにレーザ光を照射して情報を再生する再生方法であって、
メインビームを前記光ディスクに照射して前記光ディスクの再生を行う第１再生ステップと、
前記レーザ光の光束をメインビームと２つのサブビームに分割して前記光ディスクの再生を行う第２再生ステップと、
前記第１再生ステップと前記第２再生ステップとにより得られた再生信号振幅の結果に基づいて再生レーザの出射パワーの調整を行うパワー調整ステップとを含むことを特徴とする再生方法。
【発明の詳細な説明】
【技術分野】
【０００１】
本発明はレーザ光を用いて光ディスクを再生する光ディスク装置に関する。
【背景技術】
【０００２】
背景技術として、例えば、特許文献１に開示の技術がある。特許文献１では、「トラッキングサーボ引き込み時には、プッシュプル法によるトラッキングエラー信号を選択」し、「サーボ引き込み後、３ビーム法によるトラッキングエラー信号を基にトラッキング制御を行う」方式が開示されている。
【先行技術文献】
【特許文献】
【０００３】
【特許文献１】特開平８−３０９８９号公報
【発明の概要】
【発明が解決しようとする課題】
【０００４】
光ディスクを再生する際に、光スポットを光ディスク上のトラックに追従させる方式として、ＤＰＰ（Ｄｉｆｆｅｒｅｎｔｉａｌ  Ｐｕｓｈ−Ｐｕｌｌ）方式や３ビーム方式などが用いられている。ＤＰＰ方式は、回折格子を用いてレーザ光をメインビームとサブビームとに分割し、メインビームによってメインプッシュプル信号を、サブビームによってサブプッシュプル信号を生成する方式である。サブプッシュプル信号にレンズシフトに対する感度を補償する係数を乗算し、メインプッシュプル信号との差を取った信号をトラッキングエラー信号として用いることで、レンズシフトによるオフセットを補償し、光スポットをトラック中心に追従させることが出来る。３ビーム方式は、回折格子を用いてレーザ光をメインビームとサブビームとに分割し、サブビームによって生成される信号の強度変化をトラッキングエラー信号とする方式である。
【０００５】
ＤＰＰ方式や３ビーム方式では、記録再生のためにメインビームを用い、サブビームはトラッキングサーボのためのみに用いる。レーザ光のパワー制御は、通常ビームを分割する前のレーザ光に対して行うため、メインビームとサブビームの光量の比が設計値と異なる場合、記録再生性能が劣化してしまうという課題がある。すなわち、メインビームの光量が高い場合には、ディスクに記録されている信号を劣化させる可能性があり、低い場合には信号振幅低下による再生性能劣化が発生する。このような設計値とのずれは、回折格子の特性ばらつきなどに起因する。
【０００６】
本発明の目的は、メインビームとサブビームの光量比ばらつきを補償することができる光ディスク装置または光ディスク再生方法を提供することにある。
【課題を解決するための手段】
【０００７】
上記目的は、一例として、特許請求の範囲に記載の発明により達成することができる。
【発明の効果】
【０００８】
本発明によれば、メインビームとサブビームの光量比ばらつきを補償し、設計値に従った再生性能を得ることが出来る。
【図面の簡単な説明】
【０００９】
【図１（ａ）】本発明に従う光ディスク装置の一実施例を示すブロック構成図
【図１（ｂ）】本発明に従う光ディスク装置のディテクタの構成図
【図２（ａ）】記録型光ディスク上の光スポットの模式図の例
【図２（ｂ）】再生専用光ディスク上の光スポットの模式図の例
【図３】本発明に従う光ディスク装置に光ディスクが挿入されてから再生開始となるまでのフローチャートの例
【図４】本発明に従う光ディスク装置の、再生を開始してから温度が変化した際の動作を示したフローチャートの例
【発明を実施するための形態】
【００１０】
以下、本発明の実施例を図面を用いて説明する。
【００１１】
なお、以降「出射パワー」とは対物レンズから出射するレーザ光のパワーのことを示す。また、「発光パワー」とは、レーザダイオードが発光するレーザ光のパワーのことを示す。
【実施例１】
【００１２】
図１（ａ）は、本発明に従う光ディスク装置の一実施例を示すブロック構成図である。なお、本実施例に直接関与しないブロックに関しては記載を省略した。
【００１３】
マイコン１０１は、図示しないＡＴＡＰＩなどのインターフェースを通じて、ＰＣなどのホスト装置と通信を行う。また、マイコン１０１は、レーザドライバ１０２に対し発光制御を行い、レーザドライバ１０２はマイコン１０１の制御に応じてレーザダイオード１０３を駆動する電流を出力する。レーザダイオード１０３はレーザドライバ１０２の駆動電流に応じた発光パワーで発光する。パワーモニタ１０５はビームスプリッタ１０４を介してレーザダイオード１０３の発光パワーを検出し、検出したパワーを電圧値に変換してマイコン１０１に出力する。ここで検出する発光パワーは、回折格子でレーザ光を分割する前のトータル光量である。回折格子１０６は、回折格子ドライバ１０７の制御に応じてレーザ光を１ビームと３ビームとに切り替える。１ビームと３ビームを切り替える方式としては、例えばレーザ光路中にて回折格子１０６を出し入れする方式が考えられる。このように機械的に回折格子を出し入れすることによりレーザ光を１ビームと３ビームとに切り替える手段には限定されず、光学的手段または電気的手段により光学素子の特性を切り替えてレーザ光を１ビームと３ビームに切り替えるようにしてもよい。対物レンズ１０８はレーザ光を光ディスク１０９に集光させる。
【００１４】
光ディスク１０９にて反射したレーザ光は、ディスクの情報を光の強度として保持している。再生を行う際には、偏光ビームスプリッタ１１０にてレーザ光を反射させ、ディテクタ１１１に集光する。ディテクタ１１１は集光したレーザ光を検出し、レーザ光の強度に応じた信号を波形等化器１１２に出力する。波形等化器１１２は、ディテクタ１１１によって検出された信号波形に対して等化、増幅などの処理を行い、信号処理器１１３に出力する。信号処理器１１３は、波形等化器１１２によって出力された信号波形に対し、アナログ／デジタル変換、等化、デコードなどの信号処理を行い、デコードしたデータをマイコン１０１に出力する。
【００１５】
図１の例では、点線で示した枠内のブロック１０２〜１０８、１１０、１１１が光ピックアップに搭載されているものとする。なお、図１ではレーザダイオード１０３とパワーモニタ１０５を分離して搭載した例を示したが、パワーモニタをパッケージングし、検出したパワーをマイコン１０１に出力するレーザダイオードを用いても良い。また、ここでは回折格子ドライバ１０７によって回折格子１０６を制御する例を示したが、回折格子ドライバ１０７を用いず、マイコン１０１によって回折格子１０６を駆動しても良い。また、レーザ光を分割する手段として回折格子１０６の例を示したが、液晶素子などを用いてレーザ光を分割しても良い。
【００１６】
図１（ｂ）はディテクタ１１１を詳細に示す例である。ディテクタ１１１はメインビームの反射光を受光するメインディテクタ１１４と、サブビームの反射光を受光するサブディテクタ１１５を備えている。
【００１７】
図２（ａ）に、回折格子の機能を有効にした場合の光ディスク上に集光する光スポットの模式図を示す。光ディスク上にはグルーブ２０１とランド２０２が刻まれており、これらは光スポットを追従させるガイドとなる。２０３と２０４は、それぞれ回折格子によって分割されたメインビームとサブビームの光スポットを示しており、両者の光量比は通常１５：１程度である。メインビームの反射光は図１（ｂ）のメインディテクタ１１４にて受光し、サブビームの反射光はサブディテクタ１１５にて受光する。再生信号はメインディテクタ１１５のみによって生成するため、サブビームに対するメインビームの光量比が設計値よりも低い場合には、再生性能の低下を引き起こす。一方、メインビームの光量比が設計値よりも高い場合には、光ディスク上に記録されているデータを消去してしまう可能性がある。サブディテクタは、ＤＰＰ法の場合にはサブプッシュプル信号を生成し、３ビーム法の場合にはトラッキングエラー信号を生成する。回折格子の機能を無効にした場合には、対物レンズから出射するビームは１つであるため、光ディスク上にはメインビームによるスポット２０３のみが集光する。
【００１８】
なお、ここではグルーブ２０１にデータが記録されている例を示したが、ランド２０２に記録されていても良いし、グルーブとランドの両方に記録されていても良い。
【００１９】
また、図２（ａ）は記録型の光ディスクの例を示したが、再生専用光ディスクの場合は、図２（ｂ）に示すようにピット２０５がガイドとなる。
【００２０】
図３に、本発明に従う光ディスク装置に光ディスクが挿入されてから再生開始となるまでのフローチャートの例を示す。なお、本実施例に直接関与しない動作については記載を省略した。
【００２１】
ステップ３０１にてディスクをローディングする。ステップ３０２にてレーザ光を発光する。ステップ３０３にて回折格子の機能を無効とし、対物レンズから１ビームで出射させる。この際の出射パワーは、図１（a）のパワーモニタ１０５にてモニタすることで、例えば０．３ｍＷなど所望のパワーに調整できる。ステップ３０４にてフォーカスやトラッキングなどのサーボ制御を開始した後、ステップ３０５にて再生信号振幅を測定する。ステップ３０６にて回折格子の機能を有効とし、３ビームとする。ステップ３０２でのレーザの発光パワーを保持したまま、ステップ３０７にて再生信号振幅を測定する。このときの再生信号振幅と、ステップ３０５にて測定した再生信号振幅とを比較することで、メインビームとサブビームの光量の比を得ることが出来る。例えば、ステップ３０５にて測定した再生信号振幅が３００ｍＶであって、ステップ３０７にて測定した再生信号振幅が２５０ｍＶであった場合、メインビームとサブビームとの光量比（サブ：メイン：サブ）は、１：１０：１であることがわかる。ステップ３０８にて、得られた光量比に基づいてレーザ光の出射パワーを調整する。上記のように、メインビームとサブビームとの光量比が１：１０：１であった場合、例えばメインビームを０．３ｍＷで出射するためにはトータル出射パワーが０．３６ｍＷとなるように調整すればよい。以上の調整を行った後、３０９にて再生を開始する。なお、再生信号振幅を測定する場所は、ユーザデータ領域でも良いし、ＯＰＣ領域やプリライト領域など、テスト用の信号が予め記録されている場所でも良い。
【００２２】
以上のように、回折格子の有効無効の機能を切り替えることでメインビームとサブビームの光量比を得ることが出来、所望の再生パワーで再生できることから、再生品質や信頼性を向上することが出来る。
【００２３】
なお、１ビームと３ビームを切り替えて再生するデータは、ユーザデータ領域のユーザデータであっても良いし、記録パワーの調整などで用いている試し書き領域のデータでもよい。
【００２４】
図４に、本発明に従う光ディスク装置において、再生を開始してから温度が変化した際の動作を示したフローチャートの例を示す。
【００２５】
ステップ４０１にて再生を開始する。ステップ４０２にて光ディスク装置の内部温度を、例えば、ドライブ内部に設けられたセンサや光ピックアップに設けられたセンサにより測定する。温度を測定する詳細な場所としては、レーザダイオードや、回折格子、液晶素子など、温度依存性が高い素子の周囲が挙げられる。ステップ４０２にて測定した温度が、前回計測時の温度に対して規定値以上変化していれば、ステップ４０３にて回折格子を無効としステップ４０４にて再生信号振幅を測定する。ステップ４０５にて回折格子を有効として、ステップ４０６にて再生信号振幅を測定する。このときの再生信号振幅と、ステップ４０４にて計測した再生信号振幅を比較することで、メインビームとサブビームの光量の比を得ることが出来る。ステップ４０７にて、得られた光量比に基づいてレーザ光の出射パワーを調整し、４０８にて再生を開始する。再生信号振幅の測定には、ユーザデータ領域を用いても良いし、ＯＰＣ領域やプリライト領域など、テスト用の信号が予め記録されている場所へ移動して行っても良い。また、ステップ４０３にて回折格子を無効にする前に、レーザダイオードの発光パワーを所定の値に下げても良い。１ビームで出射することで出射パワーが増加し、ディスクに記録されている信号を劣化させるのを防ぐためである。
【００２６】
また、ここでは温度が変化した場合にレーザ出射パワーを調整する例を示したが、記録から再生に動作を変化させた場合などでもよい。記録することでレーザダイオードの温度が増加し、発光特性が変化することが考えられるからである。
【００２７】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００２８】
１０１…マイコン、１０２…レーザドライバ、１０３…レーザダイオード、１０４…ビームスプリッタ、１０５…パワーモニタ、１０６…回折格子、１０７…回折格子ドライバ、１０８…対物レンズ、１０９…光ディスク、１１０…偏光ビームスプリッタ、１１１…ディテクタ、１１２…波形等化器、１１３…信号処理器、１１４…メインディテクタ、１１５…サブディテクタ、２０１…グルーブ、２０２…ランド、２０３…メインスポット、２０４…サブスポット、２０５…ピット
【図１（ａ）】
2011044209.tif 000003
【図１（ｂ）】
2011044209.tif 000004
【図２（ａ）】
2011044209.tif 000005
【図２（ｂ）】
2011044209.tif 000006
【図３】
2011044209.tif 000007
【図４】
2011044209.tif 000008